(57)【要約】  複数のモニタのうちの一つのモニタの表示画面上に、画像配置パネルを表示する。画像配置パネルには、前記複数のモニタのそれぞれの表示画面に対応したレイアウトウィンドウ表示される。これらのレイアウトウィンドウにサムネイル画像をドラッグすると、サムネイル画像に対応する画像の縮小画像が前記レイアウトウィンドウ内に表示されると共に、当該レイアウトウィンドウに対応する表示画面が、画像配置パネルのレイアウトに沿って表示変更される。これにより、異なる画像表示装置間に亘って画像やウィンドウのドラッグ操作することなく画面変更をすることができ、画像配置パネルを見るだけで、他の画像表示装置の画面状況を把握できる画像表示装置の制御装置および方法が提供される。
2011122404.tif 000002
【特許請求の範囲】
【請求項１】
少なくとも一以上の画面のレイアウトを設定するためのレイアウト設定要素を表示制御する第一表示制御手段と、
前記レイアウト設定要素上における、前記画面のレイアウトの設定操作を受け付ける操作受付手段と、
前記レイアウト設定要素により設定されるレイアウトに従って、前記画面の表示制御を行う第二表示制御手段と、
を備えることを特徴とする制御装置。
【請求項２】
請求項１に記載の制御装置において、
前記制御装置には、複数の表示装置が接続され、
前記第一表示制御手段は、各表示装置に対応するレイアウト領域を備えたレイアウト設定要素を表示し、
前記第二表示制御手段は、前記各表示装置に対応するレイアウト領域において設定されるレイアウトに従って、当該レイアウト領域に対応する前記各表示装置の画面の表示制御を行う、
ことを特徴とする制御装置。
【請求項３】
請求項１に記載の制御装置において、
前記操作受付手段は、前記画面に表示されたサムネイル画像又はウィンドウを開くためのアイコンを、前記操作手段が前記レイアウト領域にドラッグした位置を取得し、
前記第二表示制御手段は、前記ドラッグした位置に対応する前記画面の位置に、前記ドラッグされたサムネイル画像に応じた画像、又はドラッグされたアイコンに応じたウィンドウを表示する、
ことを特徴とする制御装置。
【請求項４】
請求項１に記載の制御装置において、
前記第一表示制御手段は、指定された画面に前記レイアウト設定要素を表示する、
ことを特徴とする制御装置。
【請求項５】
請求項３に記載の制御装置において、
前記サムネイル画像は、医用画像のサムネイル画像であり、前記アイコンは、医用検査を表示するウィンドウを開く検査アイコンである、
ことを特徴とする制御装置。
【請求項６】
請求項５に記載の制御装置において、
前記表示装置は、前記医用画像のサムネイル画像又は前記検査アイコンを、検査日の時系列に添って配置した検査履歴画面を表示制御する第三表示制御手段を更に備える、
ことを特徴とする制御装置。
【請求項７】
請求項６に記載の制御装置において、
前記第一表示制御手段は、前記検査履歴画面上に前記レイアウト設定要素を重畳表示する、
ことを特徴とする制御装置。
【請求項８】
第一表示制御手段により少なくとも一以上の画面のレイアウトを設定するためのレイアウト設定要素を表示制御する第１のステップと、
操作受付手段により前記レイアウト設定要素上における、前記画面のレイアウトの設定操作を受け付ける第２のステップと、
第二表示制御手段により前記レイアウト設定要素により設定されるレイアウトに従って、前記画面の表示制御を行う第３のステップと、
を含むことを特徴とする制御方法。
【請求項９】
請求項８に記載の制御方法において、
前記第１のステップは、複数接続される表示装置に対応するレイアウト領域を備えたレイアウト設定要素を表示し、
前記第３のステップは、前記複数接続される表示装置に対応するレイアウト領域において設定されるレイアウトに従って、当該レイアウト領域に対応する前記複数接続される表示装置の画面の表示制御を行う、
ことを特徴とする制御方法。
【請求項１０】
請求項８に記載の制御方法において、
前記第２のステップは、前記画面に表示されたサムネイル画像又はウィンドウを開くためのアイコンを、前記操作手段が前記レイアウト領域にドラッグした位置を取得し、
前記第３のステップは、前記ドラッグした位置に対応する前記画面の位置に、前記ドラッグされたサムネイル画像に応じた画像、又はドラッグされたアイコンに応じたウィンドウを表示する、
ことを特徴とする制御方法。
【請求項１１】
請求項８に記載の制御方法において、
前記第１のステップは、指定された画面に前記レイアウト設定要素を表示する、
ことを特徴とする制御方法。
【請求項１２】
請求項１０に記載の制御方法において、
前記サムネイル画像は、医用画像のサムネイル画像であり、前記アイコンは、医用検査を表示するウィンドウを開く検査アイコンである、
ことを特徴とする制御方法。
【請求項１３】
請求項１２に記載の制御方法において、
第三表示制御手段により前記医用画像のサムネイル画像又は前記検査アイコンを、検査日の時系列に添って配置した検査履歴画面を表示制御する第４のステップを含む
ことを特徴とする制御方法。
【請求項１４】
請求項１３に記載の制御方法において、
前記第一表示制御手段は、前記検査履歴画面上に前記レイアウト設定要素を重畳表示する、
ことを特徴とする制御方法。
【請求項１５】
少なくとも一以上の画面のレイアウトを設定するためのレイアウト設定要素を複数の表示装置の画面に対して表示制御し、
前記レイアウト設定要素上における、前記画面のレイアウトを設定操作し、
前記レイアウト設定要素により設定される前記レイアウトに従って、前記画面の表示制御することを特徴とする制御方法。
【発明の詳細な説明】
【技術分野】
【０００１】
本発明は、制御装置及び方法に係り、特に、表示画面のレイアウト設定・変更に伴う操作性の向上に資する。
【背景技術】
【０００２】
特許文献１には、複数の画面を備える表示装置におけるカーソル移動の際、表示画面の識別番号を選択すると、その識別番号に対応する表示画面にカーソルを移動させるカーソル移動方法が開示されている。【０００３】
また、特許文献２には、ユーザがポインタの移動先となる目的のマークを指定すると、ユーザにより設定された画面範囲のイメージデータを取り込み、その中から目的のマークを検出し、検出したマークの位置情報を取得してポインタを移動させるポインタ移動方法が開示されている。
【先行技術文献】
【特許文献】
【０００４】
【特許文献１】特開２０００-３３０６８７号公報
【特許文献２】特開２００３-３３０５９３号公報
【発明の概要】
【発明が解決しようとする課題】
【０００５】
上記特許文献１、２は、複数の表示画面間に亘るカーソルやポインタの移動について考慮されているものの、画像やウィンドウの移動については考慮されていない。通常、画像やウィンドウの移動する場合には、マウスにより移動対象となる画像やウィンドウをドラッグする必要があるが、複数の表示画面、特に表示装置を跨って移動する場合には、ドラッグ操作に伴うマウス移動量や視線移動量が長くなるという問題があった。【０００６】
そこで、本発明は、上記問題に鑑みてなされたものであり、画像やウィンドウの移動に伴う操作性の向上に資する制御装置及び方法を提供することを目的とする。
【課題を解決するための手段】
【０００７】
上記目的を達成するために、本発明に係る制御装置は、少なくとも一以上の画面のレイアウトを設定するためのレイアウト設定要素を表示制御する第一表示制御手段と、前記レイアウト設定要素上における、前記画面のレイアウトの設定操作を受け付ける操作受付手段と、前記レイアウト設定要素により設定されるレイアウトに従って、前記画面の表示制御を行う第二表示制御手段と、を備えることを特徴とする。【０００８】
また、本発明に係る制御方法は、少なくとも一以上の画面のレイアウトを設定するためのレイアウト設定要素を表示制御し、前記レイアウト設定要素上における、前記画面のレイアウトの設定操作を受け付け、前記レイアウト設定要素により設定される前記レイアウトに従って、前記画面の表示制御することを特徴とする。
【発明の効果】
【０００９】
本発明によれば、レイアウト設定要素上で画面レイアウトを設定すると、そのレイアウトに従って画面を表示できるため、複数の表示装置がある場合に、レイアウト設定要素を見るだけで複数の表示装置の画面を確認することができ、実際に画面がある位置まで視線を動かしたり、カーソルの移動操作やドラッグ操作を行なったりしなくても、各表示装置の画面表示や変更を行うことが出来る。また、表示装置が１台の場合でも、表示画面の指定時における画面切替え回数を減らすことが可能となり、操作性が向上する。
【図面の簡単な説明】
【００１０】
【図１】検査情報表示システムの全体構成を示すブロック図
【図２】表示装置の全体構成を示すブロック図
【図３】画像表示プログラムを示すブロック図
【図４】参照候補・プロトコル・レイアウト記憶部３３に格納されるデータの一例を示す模式図
【図５】画像表示システムの処理の流れを示すフローチャート
【図６】検査一覧画面の一例を示す模式図
【図７】第一実施形態における検査データ操作画面の初期状態を示す模式図
【図８】図７の検査データ操作画面６０に含まれるヒストリエリア７０を拡大表示した模式図
【図９】図７の検査データ操作画面６０に含まれるシェアウィンドウ９０を拡大表示した模式図
【図１０】図７の状態において背面に位置するシリーズパネルの画面表示例を示す模式図
【図１１】図７の状態において画像配置パネル１１０を重畳表示した画面表示例を示す模式図
【図１２】図１１の状態においてサムネイル画像７５ｅをドラッグした画面表示例を示す模式図
【図１３】図１２に対応するシリーズパネルの画面表示例を示す模式図
【図１４】第二実施形態において、画像配置パネルを表示した画面表示例を示す模式図
【図１５】図１４の状態におけるモニタ１６とモニタ１７の画面表示例を示す模式図
【図１６】図１４の状態においてサムネイル画像７５ｅを選択した画面表示例を示す模式図
【図１７】図１６の状態においてサムネイル画像７５ｅをドラッグした画面表示例を示す模式図
【図１８】図１７の状態におけるモニタ１６とモニタ１７の画面表示例を示す模式図
【図１９】第一実施形態で用いる座標変換テーブルを示す模式図
【図２０】第二実施形態で用いる座標変換テーブルを示す模式図
【発明を実施するための形態】
【００１１】
以下、本発明の実施形態について図面を用いて説明する。同一機能を有する構成及び同一の処理内容の手順には同一符号を付し、その説明の繰り返しを省略する。
【００１２】
本実施形態では、同一被検体の過去検査の履歴と、診断対象となる基準検査と比較観察や比較参照の候補となる過去検査を抽出して表示する検査情報表示システムに、本発明にかかる制御装置及び方法を適用する場合を例に説明する。なお、「過去検査」には、各種医用画像撮影装置により撮影された医用画像と、血液検査、病理検査、生体検査、心電図などの各種医用検査の検査データと、を含む。また、他病院や診療所の紹介状などの検査に従属する情報を含んでもよい。
【００１３】
まず、図１に基づいて本実施形態に係る検査情報表示システムと、本実施形態に係る表示装置のハードウェア構成について説明する。図１は、本実施形態に係る検査情報表示システムの全体構成を示すブロック図である。
【００１４】
検査情報表示システム８は、検査技師が患者や検診者（以下、これらをまとめて被検体という）を撮影して医用画像を作成し、読影医師などがこの医用画像を参照して診察のための読影を含む閲覧を行なうことができるようにしたシステムであって、医用画像撮像装置（モダリティともいう）１と、画像ワークステーション２と、医用画像の検像を行う検像端末３及び検像端末３に接続される画像表示装置３ａ、３ｂと、医用画像とその付帯情報が格納される画像サーバ４と、医用検査結果とその付帯情報が格納される検査データサーバ５と、読影端末６及び読影端末６に接続される画像表示装置６ａ、６ｂと、が、ネットワーク７を介して接続されて構成される。
【００１５】
モダリティ１は、Ｘ線撮影装置、Ｘ線ＣＴ装置、ＭＲＩ装置などの医用画像撮像装置であって、患者の所定部位を撮影して撮影医用画像を作成する。画像ワークステーション２は、モダリティ１で作成された撮影医用画像を基に、３次元（立体）画像処理やPerfusion解析などの処理を行なった医用画像（以下、後処理医用画像という）を生成する。検像端末３は、モダリティ１からの撮影医用画像や画像ワークステーション２からの後処理医用画像を、未検像医用画像として受信し、かかる未検像医用画像の内容確認や修正、加工などの検像を行う。
【００１６】
画像サーバ４は、検像端末３で検像した医用画像と被検体情報とを関連付けて格納・管理する。検査データサーバ５は、血液検査、検体検査、生体検査、心電図などの医用検査の検査結果データと被検体情報とを関連付けて格納・管理する。読影端末６は、画像サーバ４や検査データサーバ５から所定の医用画像や検査データを取得し、それらの医用画像や検査データを参照して読影医師が読影あるいは閲覧を行なうための端末装置である。
【００１７】
画像サーバ４は、モダリティ１で撮影された医用画像と、その医用画像に付帯する付帯情報とを関連付けて格納する。この付帯情報には、被検体情報（例えば、被検体の識別ID、被検体の氏名、被検体の病名や症状名からなるプロブレム名）と、検査属性情報（例えば、モダリティの種類、検査日、撮影部位）と、医用画像のサムネイル画像と、が含まれる。
【００１８】
検査データサーバ５は、血液検査、組織（検体）検査、心電図データなどの各種医用検査結果のデータと、この検査結果のデータに付帯する情報とを関連付けて格納する。検査結果データの付帯情報には、被検体情報（例えば、被検体の識別ID、被検体の氏名、被検体の病名や症状名からなるプロブレム名）と、検査属性情報（例えば、検査の種類、検査日）と、が含まれる。
【００１９】
読影端末６は、下記第一実施形態では一の画像表示装置６ａと接続され、第二実施形態では、二つの画像表示装置６ａ、６ｂと接続される。
【００２０】
モダリティ１と画像ワークステーション２と検像端末３は検査技師室に設置されて主に検査技師によって使用され、読影端末６は担当の読影医師の読影室に設置されて主に読影医師によって使用される。使用状態は読影端末６のみであってもよい。
【００２１】
次に図２に基づいて、本発明に係る検査情報表示装置としての読影端末６のハードウェア構成について説明する。図２は、本実施形態に係る表示装置の全体構成を示すブロック図である。
【００２２】
読影端末６は、各部を制御するＣＰＵ１０と、ＣＰＵ１０が全体の制御を実行するための制御プログラムや、画面表示などのための各種アプリケーションプログラムが実行時にロードされる主メモリ１１と、上記アプリケーションソフトや、画像サーバ４及び検査データサーバ５から取得した医用画像や検査データ、更には、モニタ１６、１７で表示される画面のレイアウトやこのレイアウトに付加される被検体情報やマーカ、タグ、検査アイコンなどのデータが不揮発的に格納される磁気ディスク１２と、ネットワーク７に接続されて通信制御を行なう通信制御部１３と、表示用の画像情報を一時記憶する表示メモリ１４、１５と、表示メモリ１４に記憶されている画像情報を用いて画像表示を行なうモニタ１６と、表示メモリ１５に記憶されている画像情報を用いて画像表示を行なうモニタ１７と、モニタ１６、１７の表示画面を操作するためのマウス１９及びコントローラ１８と、各種パラメータ設定用の操作キーや操作スイッチを備えたキーボード２０と、が内部バス２１を介して相互に接続されて構成される。なお、主メモリ１１は磁気ディスク１２で説明した機能を有している。制御方法は、以下に説明する個々の制御プログラムで実現される。
【００２３】
ここで、表示メモリ１４とモニタ１６とは、図１の画像表示装置６ａを構成しており、表示メモリ１５とモニタ１７とは、図１での画像表示装置６ｂを構成している。ここでは、モニタ１６、１７の２台構成を例に説明しているが、モニタは何れか一台のみであってもよい。
【００２４】
なお、モニタ１６、１７の表示画面にタッチパネルが設けられていてもよく、この場合には、モニタ１６、１７の表示画面でのタッチ操作により、マウス１９やキーボード２０の代わりに必要なデータを入力することができる。また、情報の記憶媒体として、磁気ディスク１２の代わりに、あるいは磁気ディスク１２とともに、ＣＤ−ＲＯＭや光磁気ディスクなどの他の記憶媒体を用いることもできる。
【００２５】
次に図３に基づいて読影端末６に内蔵される画像表示プログラムについて説明する。図３は、画像表示プログラムを示すブロック図である。画像表示プログラムは、大きくは、共通プログラム３０と、被検体の検査履歴を表示するヒストリエリアの制御を行うヒストリエリアプログラム３１と、参照候補となる過去検査を表示するシェアウィンドウの制御を行うシェアウィンドウプログラム３２と、画面レイアウトを設定する画像配置パネルを表示し、それに従って画面表示を行う画面レイアウトプログラム３４と、を備える。
【００２６】
共通プログラム３０は、読影端末６のユーザをユニークに識別するユーザＩＤの入力に基づいて認証処理を行うユーザ認証部３０ａと、診断対象の候補となる医用画像や医用検査の検査データ（以下「検査データ」という）をリスト表示した検査一覧画面を表示する検査一覧表示制御部３０ｂと、検査一覧画面上において、診断対象となる医用画像又は検査データ（以下「基準検査」という）を選択し、画像サーバ４又は検査データサーバ５に対して、基準検査と、その基準検査と同一被検体の過去検査の抽出指示を行う検査抽出指示部３０ｃと、画像サーバ４又は検査データサーバ５から抽出された基準検査及び過去検査を取得（受信）する画像取得部３０ｄと、検査履歴の表示エリアと過去検査の表示エリアを含む検査データ操作画面を表示する検査データ操作画面表示制御部３０ｅと、を備える。画像サーバ４と検査データサーバ５は一つのサーバで構成されてもよい。画像サーバ４と検査データサーバ５が一つのサーバで構成されている場合は、過去検査の抽出を一つのサーバについて行う。
【００２７】
ヒストリエリアプログラム３１は、画像表示装置６ａの画面上において、横軸が医用画像及び検査データの検査日を示す時間軸、縦軸が被検体属性や検査属性を示す情報軸からなる検査履歴エリアに、医用画像のサムネイル画像及び検査データを示す検査アイコンを配列するヒストリエリア表示制御部３１ａと、検査日の時系列を示す時間軸を設定する時間軸設定部３１ｂと、基準検査及び過去検査の検査属性や被検体属性を選択して、その属性に基づく情報軸を設定する情報軸設定部３１ｃとを備える。
【００２８】
ヒストリエリア表示制御部３１ａは、医用画像の付帯情報にサムネイル画像がある場合にはそれを読出し、含まれない場合は、医用画像のサムネイル画像を生成して、ヒストリエリアに配列する。また、ヒストリエリア表示制御部３１ａは、検査データの検査種類を示す検査アイコンをヒストリエリアに配列する。
【００２９】
シェアウィンドウプログラム３２は、画像サーバ４及び検査データサーバ５に対して基準画像に対する参照候補となる過去検査の抽出を行う参照候補抽出部３２ａと、抽出された参照候補を、ヒストエリアとは異なる検査データ操作画面の画面領域からなるシェアウィンドウに表示するシェアウィンドウ表示制御部３２ｂとを備える。
【００３０】
画像レイアウトプログラム３４は、表示画面に対応したレイアウト領域を備えた画像配置パネルを表示するパネル表示部３４ａと、レイアウト領域内に画像やウィンドウを配置する配置処理部３４ｂと、レイアウト領域において設定されたレイアウトに従ってモニタに画像やウィンドウを表示するモニタ表示制御部３４ｃとを備える。モニタ表示制御部３４ｃは、単独でモニタの表示制御を行ってもよいし、OSのモニタ制御モジュールに対して、画像及びウィンドウとそれらの表示位置とを指示する処理を行ってもよい。
【００３１】
上記各プログラムは、読影端末６の主メモリ１１にロードされ、ＣＰＵ１０が実行することにより、ハードウェアと協働してその機能が実現される。
【００３２】
主メモリ１１又は磁気ディスク１２には、ユーザの識別情報と基準検査を用いた診断目的示すルーチン名と基準検査の検査種別と、に対応付けられた参照候補となる過去検査を、比較読影・参照する順序（以下「参照手順又は読影プロトコル」という。）に沿って定義したデータ（図４参照）を記憶する参照候補・プロトコル・レイアウト記憶部３３と、レイアウト領域とモニタの絶対座標との対応を示す座標変換テーブル(図１９、２０参照)とが備えられる。
【００３３】
図４に基づいて、参照候補・プロトコル・レイアウト記憶部３３に格納されるデータについて説明する。図４は、参照候補・プロトコル・レイアウト記憶部３３に格納されるデータの一例を示す模式図である。このデータは、ユーザ名、ルーチン名、基準検査の検査種別と、これらに応じた参照候補及びその参照手順（プロトコル）が関係づけられている。
【００３４】
これらの参照候補のシェアウィンドウ内における配置パターンとして３つのレイアウトが定められる。さらに、ユーザは、各プロトコルにおいて、診断のポイントを示すコメントを参照候補と関連付けて記入してもよい。このコメントは、後述するヒストリエリア上に表示されるサムネイル画像の横にポップアップ表示してもよい。
【００３５】
参照候補やプロトコル、レイアウトは、図示しないＧＵＩからユーザが任意に設定してもよいし、参照候補抽出部３２aがログイン後に継続して記録された参照候補の参照手順やレイアウトに基づいて、自動的にレイアウトや参照手順を生成してもよい。
【００３６】
シェアウィンドウ表示制御部３２ｂは、選択されたレイアウトに沿って参照候補となる医用画像や検査データを表示する。また新たな基準画像が選択されると、当該新たな基準画像に対応する参照候補を、シェアウィンドウ内に変更表示する。更に、ヒストリエリア内のサムネイル画像又は検査アイコンがシェアウィンドウ内にドラッグアンドドロップされると、シェアウィンドウの画面分割を行い、分割画面の大きさに合わせて表示されていた検査とドラッグアンドドロップされたサムネイル画像又は検査アイコンに対応する検査との画面サイズを調整して表示する。
【００３７】
＜第一実施形態＞
第一実施形態は、読影端末６が一の画像表示装置６ａと接続され、画像表示装置６ａに検査データ操作画面と、基準検査や過去検査の結果である医用画像及び検査データを表示するシリーズパネルと、を切り替え表示する実施形態である。読影医であるユーザは、診断する医用画像又は検査データ（以下「基準検査」という）を選択し、同一被検体の過去検査をヒストリエリア内に検査履歴として表示するとともに、比較読影・参照する候補となる過去検査をシェアウィンドウとを含む検査データ操作画面を表示する。更に、検査データ操作画面上において画像配置パネルを表示して、シリーズパネル内の医用画像や検査データの配置（レイアウト）を指定し、指定どおりのレイアウトで医用画像と検査データを表示する。
【００３８】
以下、図５〜図１３、図１９に基づいて第一実施形態について説明する。図５は、画像表示システムの処理の流れを示すフローチャートである。図６は、検査一覧画面の一例を示す模式図である。図７は、第一実施形態における検査データ操作画面の初期状態を示す模式図である。図８は、図７の検査データ操作画面６０に含まれるヒストリエリア７０を拡大表示した模式図である。図９は、図７の検査データ操作画面６０に含まれるシェアウィンドウ９０を拡大表示した模式図である。図１０は、図７の状態において背面に位置するシリーズパネルの画面表示例を示す模式図である。図１１は、図７の状態において画像配置パネル１１０を重畳表示した画面表示例を示す模式図である。図１２は、図１１の状態においてサムネイル画像７５ｅをドラッグした画面表示例を示す模式図である。図１３は、図１２に対応するシリーズパネルの画面表示例を示す模式図である。図１９は、第一実施形態で用いる座標変換テーブルを示す模式図である。以下、図５の各ステップに沿って、本実施形態に係る画像表示システムの処理の流れを説明する。
【００３９】
（ステップＳ１）
ユーザ（読影医：日立Ｄｒとする。）は、読影端末６の操作を開始するにあたり、ユーザをユニークに識別するユーザＩＤを入力する。ユーザ認証部３０ａは、ユーザＩＤを用いてログイン処理を行う（Ｓ１）。ヒストリエリアプログラム３１は、ユーザＩＤと、以後のステップにおいてユーザが参照する検査の順序と、を関連付けて記憶し、参照候補を決定する処理に用いてもよい。
【００４０】
（ステップＳ２）
ユーザが、読影端末６のマウス１９またはキーボード２０の操作、もしくはモニタ１６の表示画面でのタッチ操作により、検査一覧画面の表示指令を行うと、検査一覧表示制御部３０ｂは、主メモリ１１又は磁気ディスク１２から検査一覧画面のレイアウトが読み出して表示メモリ１４に転送し、モニタ１６に検査一覧画面を表示する。図６は、検査一覧画面の一例を示す模式図である。図６の検査一覧画面５０には、「（被検体）ＩＤ」、「氏名」、「モダリティ」、「検査日」のフィールドが備えられる。そして、検査日「２００９．０６．０６」に撮影された医用画像の付帯情報が検査一覧画面５０にリスト表示される。
【００４１】
（ステップＳ３）
ユーザは、診断する検査を検査一覧画面５０上において診断する検査のレコードをマウス１９、キーボード２０、又は図示しないタッチパネルにより指定する。本実施形態では、基準検査として、被検体名「日立Ａ郎」の医用画像（検査日：2009/06/06、モダリティ：ＣＴ、検査部位：下腹部：ルーチン名：大腸癌）を用いて、大腸癌の診断を行う場合を例に説明する。
【００４２】
ユーザは、検査一覧画面５０の「日立Ａ郎」の2009/06/06に撮影された「ＣＴ」画像をマウス１９でクリックして選択する。選択された検査の詳細情報は、モニタ１６の検査一覧画面５０とは別の領域からなる詳細画面５１に表示される。ユーザは、選択終了後、検査一覧画面５０に備えられた「検査データ操作画面」アイコン５２をクリックする。なお、図６の検査一覧画面５０では、医用画像のみが記載されているが、血液検査や病理検査などの画像を伴わない検査データの一覧もリスト表示してもよい。
【００４３】
（ステップＳ４）
検査抽出指示部３０ｃは、基準画像の被検体（本実施形態では「日立Ａ郎」）を抽出条件とし、画像サーバ４及び検査データサーバ５に対して過去の検査の検索・抽出・送信の指示を行う。画像サーバ４及び検査データサーバ５は、この指示に従って、各検査を抽出する。抽出された各検査には、例えば、被検体の識別ID、被検体の氏名、モダリティの種類、検査日時を含む付帯情報が付いている。画像サーバ４及び検査データサーバ５は、各検査と付帯情報とをネットワーク７を介して読影端末６に送信する。画像取得部３０ｄは、各検査と付帯情報とを受信して主メモリ１１又は磁気ディスク１２に記憶する。
【００４４】
（ステップＳ５）
検査データ操作画面表示制御部３０ｅは、検査データ操作画面のフレームを主メモリ１１又は磁気ディスク１２から読みして、表示メモリ１４に転送し、モニタ１６に検査データ操作画面５０を表示する（Ｓ５）。これにより、モニタ１６の表示画面は、ステップＳ２の検査一覧画面５０から図７の検査データ操作画面６０へ遷移する。
【００４５】
検査データ操作画面６０は、被検体を特定する情報を表示する被検体情報エリア６１と、画像配置パネルを表示するための「画像配置パネル」ボタン６２と、基準画像や過去検査に係る医用画像及び検査データを表示するウィンドウからなるシリーズパネルに表示切替を行うための「シリーズパネル」ボタン６３と、被検体の検査履歴を表示するヒストリエリア７０と、基準画像や基準検査データを診断する上で、参照候補となる検査を表示するシェアウィンドウ９０とを含んで構成される。被検体情報エリア６１には、基準画像の被検体の「被検体ＩＤ」及び「氏名」が表示される。図７では、ステップＳ３で選択された「日立Ａ郎」が表示される。ヒストリエリア７０は、ヒストエリアプログラム３１により表示制御され、シェアウィンドウ９０は、シェアウィンドウプログラム３２により表示制御される。
【００４６】
（ヒストリエリア）
ヒストリエリア表示制御部３１ａは、主メモリ１１又は磁気ディスク１２から過去検査の付帯情報に含まれる「検査日」及び「モダリティ」及び「検査種類」を読出す。その「検査日」情報に基づいて、時間軸設定部３１ｂは、検査日の時系列を示す時間軸７２を設定する。また、情報軸設定部３１ｃは、検査の種類、検査部位、被検体の病名やプロブレム名などの属性を示す情報軸７３を設定する。
【００４７】
ヒストリエリア表示制御部３１ａは、横軸が時間軸７２、縦軸が情報軸７３からなる検査履歴エリア７４を生成する。そして、検査の付帯情報を参照して、検査履歴エリア７４内の該当する位置に、各検査に対応したサムネイル画像及び検査アイコン、例えば基準画像に付帯するサムネイル画像７５ａ、及び検査データの種類に応じた検査アイコン、例えば、血液検査を示すアイコン７５ｂ、微生物検査を示す検査アイコン７５ｃを、検査履歴エリア７４内にマトリックス状に配置して（図８参照）、ヒストエリア７０を生成する。続いて、ヒストリエリア表示制御部３１ａは検査データ操作画面６０内の所定位置（図７では検査データ操作画面６０の上半分）にこのヒストリエリア７０を表示する。
【００４８】
（シェアウィンドウ）
シェアウィンドウ９０は、検査を表示する検査エリア９１と、検査エリア９１の各検査の配置（以下「レイアウト」という）を選択するための「レイアウト選択」ボタン９２と、新規のレイアウトを登録するための「レイアウト登録」ボタン９３と、を備える。
【００４９】
検査データ操作画面６０の操作に応動して、参照候補抽出部３２ａは、参照候補・プロトコル・レイアウト記憶部３３から、基準検査の検査種類と読影医（初期設定ではステップＳ１でログインしたユーザ）に対応した参照手順を読出し、その基準検査の検査種別に応じた参照候補となる検査を特定する。そして、主メモリ１１又は磁気ディスク１２から特定した参照候補となる検査の医用画像又は検査データを読み出す。本実施形態では、図４に従って、2009/06/06のＣＴ画像を基準画像に対応する７つの参照候補、参照候補１：2009/02/23の胸部ＣＲ画像９１ａ、参照候補２：2009/03/03の腹部ＣＴ画像９１ｂ、参照候補３：2008/11/01の心臓のＩＶＲ透視画像（ＴＶ）９１ｄ、参照候補４：2009/06/06の頭部ＭＲＩ画像９１ｃ、参照候補５：2009/06/01の血液検査データ９１ｆ、参照候補６：2009/04/20の病理検査データ９１ｅ、参照候補７：2009/02/02の心電図が読み出される。
【００５０】
続いて、シェアウィンドウ表示制御部３２ｂは、ユーザＩＤ及び基準画像の検査種別に対応した参照候補のレイアウト、例えば図４のレイアウト２を、参照候補・プロトコル・レイアウト記憶部３３から読み出す。そして、参照候補となる過去検査を、読み出したレイアウトに沿って検査データ操作画面６０のシェアウィンドウ９０内に配置する。その結果、シェアウィンドウ９０内に検査９１ａ〜９１ｄが表示される（図９参照）。
【００５１】
一方、モニタ表示制御部３４ｃは、モニタ１６の画面に画像表示画面１００を開く。本実施形態では、検査データ操作画面６０の背面に図１０の画像表示画面１００が開かれる。画像表示画面１００は、被検体氏名と被検体ＩＤを表示する被検体エリア１０１と、検査データ操作画面６０への表示切替を指示する「検査データ操作」ボタン１０２と、医用画像や検査データを表示する画像表示エリア１０７とを備える。モニタ表示制御部３４ｃは、画像表示エリア１０７内にステップＳ３で選択された基準検査の医用画像１０４a〜１０４ｄの４つのＣＴ画像を初期表示する。
【００５２】
なお、初期状態では、検査データ操作画面６０を最前面に表示するように設定されているが、画像表示画面１００が最前面に表示されるように設定してもよい。
【００５３】
（ステップＳ６）
ユーザが、検査データ操作画面６０の「画像配置パネル」ボタン６２をマウス１９によりクリックすると、パネル表示部３４aが画像配置パネルを検査データ操作画面６０の上に重畳表示する（図１１参照）。
【００５４】
画像配置パネル１１０は、モニタ１６の表示画面に対応したレイアウト領域１０３を備える。第一実施形態では、読影端末６に一つのモニタ１６が接続されており、初期設定においてモニタ１６の画像表示画面１００の表示画面を画面レイアウトの設定対象として選択されているため、図１１の画像配置パネル１１０では、パネル表示部３４ａは、画像表示画面１００に対応したレイアウト領域１０３だけを設ける。
【００５５】
図１１の画像配置パネル１１０のレイアウト領域１０３には、図１０の画像表示画面１００の画像表示エリア１０７で表示されているＣＴ画像１０４ａ、１０４ｂ、１０４ｃ、１０４ｄの縮小画像１０４ａ１、１０４ｂ１、１０４ｃ１、１０４ｄ１が表示されている。ＣＴ画像１０４ａ、１０４ｂ、１０４ｃ、１０４ｄは、基準検査の医用画像であり、サムネイル画像７５ａに相当する医用画像である。
【００５６】
パネル表示部３４ａは、モニタ１６の画像表示エリア１０７の絶対座標と、画像配置パネル１１０のレイアウト領域１０３の座標とを関連付けた図１９の座標変換テーブルを生成し、主メモリ１１又は磁気ディスク１２に記憶する。図１９の座標変換テーブルは、モニタ１６の絶対座標とレイアウト領域１０３の相対座標（この相対座標は、画像配置パネル１１０上の任意の点、例えば左上の１点を基準とする相対座標である）との変換テーブルである。画像配置パネル１１０が検査データ操作画面６０上においてマウス１９によりドラッグされると、レイアウト領域１０３がそれに伴って移動するため、座標変換テーブルではレイアウト領域１０３の相対座標を用いて定義しているが、画像配置パネル１１０がモニタ１６上の固定された位置に表示される場合には、レイアウト領域１０３も絶対座標を用いて定義してもよい。なお、本実施形態では、座標変換テーブルを用いたが、座標算出に用いるデータは本例に限らない。
【００５７】
（ステップＳ７）
この状態で、ユーザが図１１の検査データ操作画面６０のサムネイル画像７５ｅをマウス１９で選択して、レイアウト領域１０３内の縮小画像１０４ｃ１が表示されている位置にドラッグする（Ｓ７）。図１２の斜線がついたサムネイル画像７５ａが選択されたサムネイル画像に相当する。また、サムネイル画像の選択は、ユーザがシェアウィンドウ中の９１ａを選択しても可能である。
【００５８】
（ステップＳ８）
配置処理部３４ｂは、ドラッグされたサムネイル画像７５ｅに対応する医用画像を主メモリ１１又は磁気ディスク１２から読み出して、レイアウト領域１０３のドラッグ位置に読み出した医用画像の縮小画像１０４ｅ１を表示する（Ｓ８）。図１２の画像配置パネル１１０は、縮小画像１０４ｅ１に切り替わった後の画像配置パネルを示す。又、図１２で示した画像配置パネルには、縮小画像１０４ａ１,１０４ｂ１,１０４ｄ１,１０４ｅ１が表示された例を示しているが、画像パネル１１０には画像の配置レイアウトが表示されていれば足りるので、縮小画像１０４ａ１,１０４ｂ１,１０４ｄ１,１０４ｅ１を表示することは必須ではない。例えば、画像パネル１１０の縮小画像の配置レイアウトは、図１２から縮小画像１０４ａ１,１０４ｂ１,１０４ｄ１,１０４ｅ１を除いて分割線のみを表示してもよい。このような分割線の表示により、配置レイアウト１１０中の分割線で囲まれる枠によって配置レイアウト１１０の外観が容易に理解できる他、縮小画像１０４ａ１,１０４ｂ１,１０４ｄ１,１０４ｅ１を表示するためのデータ処理を行わずに済むため、縮小画像を表示する場合と比較して、画像パネル１１０の表示に係る処理時間の短縮が可能となる。
【００５９】
（ステップＳ９）
配置処理部３４ｂは、図１９の座標変換テーブルを参照し、ドラッグされた位置に対応するモニタ１６の絶対座標を算出する（Ｓ９）。配置処理部３４ｂは、ドラッグ位置の絶対座標を読み出し、座標変換テーブルを用いて、その絶対座標を相対座標に変換する。そして、変換後のドラッグ位置の相対座標に対応するモニタ１６（又は画像表示画面１００）の絶対座標を、座標変換テーブルを参照して算出する。
【００６０】
（ステップＳ１０）
これと連動して、モニタ表示制御部３４ｃは、読み出されたモニタ１６の絶対座標に従って、サムネイル画像７５ｅに対応する医用画像１０４ｅをモニタ１６に表示する（Ｓ１０）。この結果、画像表示画面１００は図１０から図１３へ遷移する。ユーザが、検査データ操作画面６０の「シリーズパネル」ボタン６３をクリックすると、図１２の検査データ操作画面から図１３のシリーズパネル画面に表示切替され、医用画像１０４ｅが表示されたシリーズパネルを見ることが出来る。
【００６１】
本実施形態によれば、一つの画像表示装置に複数のウィンドウを開いている場合に、いずれかのウィンドウ上に表示された画像配置パネル上で、他のウィンドウに表示する画像の選択とレイアウトを設定することが出来る。そのため、画像配置パネルを見るだけで、他のウィンドウを確認しなくても当該ウィンドウの画像レイアウトの確認・変更作業をすることができ、ウィンドウの切り替え操作の回数を減らすことが出来る。
【００６２】
＜第二実施形態＞
第二実施形態は、第一実施形態意の画像表示装置６ａに加え、読影端末６に更なる画像表示装置６ｂを接続し、複数の画像表示装置の表示画面のレイアウトを画像配置パネルにより設定・変更する実施形態である。以下では、図１において、読影端末６に、二台の画像表示装置６ａ、６ｂが接続された場合、（図２において、表示メモリ１４とモニタ１６、表示メモリ１５とモニタ１７を備える場合）を例に、図１４〜図１８及び図２０に基づいて説明する。図１４は、第二実施形態において、画像配置パネルを表示した画面表示例を示す模式図である。図１５は、図１４の状態におけるモニタ１６とモニタ１７の画面表示例を示す模式図である。図１６は、図１４の状態においてサムネイル画像７５ｅを選択した画面表示例を示す模式図である。図１７は、図１６の状態においてサムネイル画像７５ｅをドラッグした画面表示例を示す模式図である。図１８は、図１７の状態におけるモニタ１６とモニタ１７の画面表示例を示す模式図である。図２０は、第二実施形態で用いる座標変換テーブルを示す模式図である。
【００６３】
本実施形態において、第一実施形態と同様、画像表示装置６ａは検査データ操作画面６０及び基準検査を表示する画像表示画面１００とが切り替え表示され、画像表示装置６ｂでは、基準検査との比較読影・診断において参照される画像が表示される。すなわち、画像表示装置６ｂには、シェアウィンドウ９０に表示される参照候補の過去検査の医用画像及び検査データが表示される。
【００６４】
図１４は、画像表示装置６ａのモニタ１６に検査データ操作画面６０を表示し、「画像配置パネル」ボタン６２をクリックして画像配置パネル１１０を表示した状態を示す。図１４の画像配置パネル１１０の画面レイアウトに沿って、モニタ１６、１７は表示されている（図１５参照）。
【００６５】
モニタ表示制御部３４ｃは、画像配置パネル１１０に、モニタ１６の画面表示領域１０７に相当するレイアウト領域１０３、モニタ１７の画面表示領域１０８に相当するレイアウト領域１０５を設定する。図１４の画像配置パネル１１０には、画像表示装置６ａに検査データ操作画面６０の背面で表示されている画像表示画面１００の画面レイアウトと画像表示装置６ｂの画面レイアウトが表示されている。
【００６６】
図１４の画像配置パネル１１０のレイアウト領域１０５には、画像表示装置６ｂに表示される画像１０６ａ、１０６ｂ、１０６ｃ、１０６ｄの縮小画像１０６ａ１、１０４ｂ１、１０４ｃ１、１０４ｄ１が表示されている。
【００６７】
この状態で、ユーザが図１４の検査データ操作画面６０のサムネイル画像７５ｅをマウス１９で選択（図１６参照）して、レイアウト領域１０６内の縮小画像１０６ｃ１が表示されている位置にドラッグすると、図１７のモニタ１６の表示画面に遷移する。
【００６８】
配置処理部３４ｂは、ドラッグされたサムネイル画像７５ｅに対応する医用画像を主メモリ１１又は磁気ディスク１２から読み出して、レイアウト領域１０５のドラッグ位置に読み出した医用画像の縮小画像１０６ｅ１を表示する。（図１７参照）
【００６９】
これと連動して、モニタ表示制御部３４ｃは、図２０の座標変換テーブルを参照して、レイアウト領域１０５のドラッグ位置に対応する画像表示画面１００の絶対座標を算出し、その位置にサムネイル画像７５ｅに対応する医用画像１０６ｅを表示する。この結果、画像表示装置６ｂの表示画面は、図１７（図１４〜図１６と同様）から図１８へ遷移する。ユーザが、検査データ操作画面６０の「シリーズパネル」ボタン６３をクリックすると、画像表示装置６ａの画面は、図１７の検査データ操作画面６０から図１８の画像表示画面に表示切替される。また、「シリーズパネル」ボタン６３をクリックしなくても、自動的に画像表示画面に表示切替することとしてもよい。
【００７０】
本実施形態によれば、複数の画像表示装置のうちのいずれかの画像表示装置に表示される画像配置パネル上において、複数の画像表示装置の画面レイアウトを設定・変更することができるので、異なる画像表示装置間に亘って画像やウィンドウのドラッグ操作することなく、画面変更をすることができる。また、画像配置パネルを見るだけで、他の画像表示装置の画面状況を把握できるので、視線移動が少なくてすみ、操作性が向上する。
【産業上の利用可能性】
【００７１】
本発明の制御装置及び方法は、医療や構造物の診断装置から得られた画像表示装置の制御用に幅広く利用することができる。
【符号の説明】
【００７２】
１：モダリティ、２：画像ワークステーション、３：検像端末、３ａ、３ｂ：画像表示装置、４：画像サーバ、５：検査データサーバ、６：読影端末、６ａ、６ｂ：画像表示装置、７：ネットワーク、８：検査情報表示システム
【図１】
2011122404.tif 000003
【図２】
2011122404.tif 000004
【図３】
2011122404.tif 000005
【図４】
2011122404.tif 000006
【図５】
2011122404.tif 000007
【図６】
2011122404.tif 000008
【図７】
2011122404.tif 000009
【図８】
2011122404.tif 000010
【図９】
2011122404.tif 000011
【図１０】
2011122404.tif 000012
【図１１】
2011122404.tif 000013
【図１２】
2011122404.tif 000014
【図１３】
2011122404.tif 000015
【図１４】
2011122404.tif 000016
【図１５】
2011122404.tif 000017
【図１６】
2011122404.tif 000018
【図１７】
2011122404.tif 000019
【図１８】
2011122404.tif 000020
【図１９】
2011122404.tif 000021
【図２０】
2011122404.tif 000022
【国際調査報告】
2011122404.tif 000023
2011122404.tif 000024